(57)【特許請求の範囲】
【請求項１】
テレビジョン映像信号のコンポジット信号から分離した色副搬送波信号を、デジタル処理により色復調する色復調装置であって、
装置全体の動作基準であるシステム・クロック（以下、ＳＣＬＫと記す）を用いて、予め定めたロード・クロック（以下、ＲＣＬＫと記す）を生成する分周手段と、
前記色副搬送波信号を入力し、当該色副搬送波信号から不必要な帯域の信号を除去するバンド・パス・フィルタ手段と、
前記バンド・パス・フィルタ手段が出力する前記色副搬送波信号を入力し、比較手段から与えられる利得制御に従って、出力する当該色副搬送波信号が一定の振幅を保つように制御を行う第１のかけ算手段と、
前記第１のかけ算手段が出力する振幅制御後の前記色副搬送波信号と、ＳＩＮデータ生成手段が出力する位相交番ＳＩＮ波信号とを入力し、双方の信号をかけ算処理することでＲ−Ｙ信号およびＢ−Ｙ信号の多重化復調を行う第２のかけ算手段と、
前記第２のかけ算手段が多重化復調した信号を入力し、Ｒ−Ｙ信号およびＢ−Ｙ信号の帯域を通過させて予め定めた高帯域成分を除去する第１のロー・パス・フィルタ手段と、
前記第１のロー・パス・フィルタ手段が出力する高帯域成分を除去した後の前記多重化復調した信号を入力し、前記ＲＣＬＫに従って、当該多重化復調した信号をＲ−Ｙ信号とＢ−Ｙ信号とに分離してそれぞれ出力する第１のロード・ホールド手段と、
前記第１のロー・パス・フィルタ手段が出力する高帯域成分を除去した後の前記多重化復調した信号を入力し、バースト信号期間を与えるバースト・ゲート・パルス（以下、ＢＧＰと記す）に基づいて、Ｒ−Ｙ信号およびＢ−Ｙ信号におけるバースト信号の情報をそれぞれ累積加算し、この累積加算した各バースト信号情報を１水平期間に１回だけ出力する累積加算手段と、
前記累積加算手段が出力する各バースト信号情報を入力し、Ｒ−Ｙ信号およびＢ−Ｙ信号の帯域を通過させて予め定めた高帯域成分を除去する第２のロー・パス・フィルタ手段と、
前記第２のロー・パス・フィルタ手段が出力する高帯域成分を除去した後の前記各バースト信号情報を入力し、前記ＲＣＬＫに従って、当該バースト信号情報をＲ−Ｙ信号におけるバースト信号情報とＢ−Ｙ信号におけるバースト信号情報とに分離してそれぞれ出力する第２のロード・ホールド手段と、
前記第２のロード・ホールド手段が出力するＲ−Ｙ信号におけるバースト信号情報を入力し、当該バースト信号情報のレベルに従って、ランプ波形の周期を可変して出力するＶＣＯ手段と、
前記ＶＣＯ手段が出力するランプ波形において、Ｒ−Ｙ復調軸に対応するデータとＢ−Ｙ復調軸に対応するデータとを入力し、前記ＲＣＬＫに従って、当該２つのデータを交互に切り換えて出力するスイッチ手段と、
前記ＶＣＯ手段が出力するランプ波形に、前記スイッチ手段が出力するデータを加算して出力する加算手段と、
前記加算手段が出力するランプ波形を用いて、当該ランプ波形に同期した前記位相交番ＳＩＮ波信号を生成して出力する前記ＳＩＮデータ生成手段と、
前記第２のロード・ホールド手段が出力するＢ−Ｙ信号におけるバースト信号情報を入力し、当該バースト信号情報の値と予め定めた基準値とを比較し、当該バースト信号情報の値が当該基準値と一致するように、前記第１のかけ算手段の利得を制御する前記比較手段とを備える、色復調装置。
【請求項２】
テレビジョン映像信号のコンポジット信号から分離した色副搬送波信号を、デジタル処理により色復調する色復調装置であって、
装置全体の動作基準であるシステム・クロック（以下、ＳＣＬＫと記す）を用いて、予め定めたロード・クロック（以下、ＲＣＬＫと記す）を生成する分周手段と、
前記色副搬送波信号を入力し、当該色副搬送波信号から不必要な帯域の信号を除去するバンド・パス・フィルタ手段と、
前記バンド・パス・フィルタ手段が出力する前記色副搬送波信号を入力し、比較手段から与えられる利得制御に従って、出力する当該色副搬送波信号が一定の振幅を保つように制御を行う第１のかけ算手段と、
前記第１のかけ算手段が出力する振幅制御後の前記色副搬送波信号と、ＳＩＮデータ生成手段が出力する位相交番ＳＩＮ波信号とを入力し、双方の信号をかけ算処理することでＲ−Ｙ信号およびＢ−Ｙ信号の多重化復調を行う第２のかけ算手段と、
前記第２のかけ算手段が多重化復調した信号を入力し、Ｒ−Ｙ信号およびＢ−Ｙ信号の帯域を通過させて予め定めた高帯域成分を除去する第１のロー・パス・フィルタ手段と、
前記第１のロー・パス・フィルタ手段が出力する高帯域成分を除去した後の前記多重化復調した信号を入力し、前記ＲＣＬＫに従って、当該多重化復調した信号をＲ−Ｙ信号とＢ−Ｙ信号とに分離してそれぞれ出力する第１のロード・ホールド手段と、
前記第１のロー・パス・フィルタ手段が出力する高帯域成分を除去した後の前記多重化復調した信号を入力し、バースト信号期間を与えるバースト・ゲート・パルス（以下、ＢＧＰと記す）に基づいて、Ｒ−Ｙ信号およびＢ−Ｙ信号におけるバースト信号の情報をそれぞれ累積加算し、この累積加算した各バースト信号情報を１水平期間に１回だけ出力する累積加算手段と、
前記累積加算手段が出力する高帯域成分を除去した後の前記各バースト信号情報を入力し、前記ＲＣＬＫに従って、当該バースト信号情報をＲ−Ｙ信号におけるバースト信号情報とＢ−Ｙ信号におけるバースト信号情報とに分離してそれぞれ出力する第２のロード・ホールド手段と、
前記累積加算手段が出力するＲ−Ｙ信号におけるバースト信号情報を入力し、Ｒ−Ｙ信号の帯域を通過させて予め定めた高帯域成分を除去する第２のロー・パス・フィルタ手段と、
前記累積加算手段が出力するＢ−Ｙ信号におけるバースト信号情報を入力し、Ｂ−Ｙ信号の帯域を通過させて予め定めた高帯域成分を除去する第３のロー・パス・フィルタ手段と、
前記第２のロー・パス・フィルタ手段が出力する高帯域成分を除去した後のＲ−Ｙ信号におけるバースト信号情報を入力し、当該バースト信号情報のレベルに従って、ランプ波形の周期を可変して出力するＶＣＯ手段と、
前記ＶＣＯ手段が出力するランプ波形において、Ｒ−Ｙ復調軸に対応するデータとＢ−Ｙ復調軸に対応するデータとを入力し、前記ＲＣＬＫに従って、当該２つのデータを交互に切り換えて出力するスイッチ手段と、
前記ＶＣＯ手段が出力するランプ波形に、前記スイッチ手段が出力するデータを加算して出力する加算手段と、
前記加算手段が出力するランプ波形を用いて、当該ランプ波形に同期した前記位相交番ＳＩＮ波信号を生成して出力する前記ＳＩＮデータ生成手段と、
前記第３のロー・パス・フィルタ手段が出力する高帯域成分を除去した後のＢ−Ｙ信号におけるバースト信号情報を入力し、当該バースト信号情報の値と予め定めた基準値とを比較し、当該バースト信号情報の値が当該基準値と一致するように、前記第１のかけ算手段の利得を制御する前記比較手段とを備える、色復調装置。
【請求項３】
前記累積加算手段は、
入力する信号と論理積手段が出力する信号とを、加算して出力する加算手段と、
前記加算手段が出力する信号を、前記ＳＣＬＫのタイミングに従って順に遅延する（２×ｎ）個（ｎは、正の整数）のラッチ手段と、
最終段の前記ラッチ手段が出力信号として出力する遅延信号を、予め定めた利得で調整するゲイン調整手段と、
前記ＢＧＰを入力し、当該ＢＧＰの期間にのみ前記ゲイン調整手段が出力する信号を、前記加算手段に出力する前記論理積手段とを備える、請求項１または２に記載の色復調装置。
【請求項４】
前記第１〜第３のロー・パス・フィルタ手段は、
入力する信号を、前記ＳＣＬＫのタイミングに従って順に遅延する（２×ｎ）個（ｎは、正の整数）のラッチ手段と、
最終段の前記ラッチ手段が出力する遅延信号を、予め定めた利得で調整する第１のゲイン調整手段と、
入力する信号を、予め定めた利得で調整する第２のゲイン調整手段と、
前記第１のゲイン調整手段が出力する信号と前記第２のゲイン調整手段が出力する信号とを加算して、出力信号として出力する加算手段とをそれぞれ備える、請求項１〜３のいずれかに記載の色復調装置。
【請求項５】
前記第１〜第３のロー・パス・フィルタ手段および前記累積加算手段は、
入力する信号と論理積手段が出力する信号とを、加算して出力する第１の加算手段と、
前記第１の加算手段が出力する信号を、前記ＳＣＬＫのタイミングに従って順に遅延する（２×ｎ）個（ｎは、正の整数）の第１のラッチ手段と、
最終段の前記第１のラッチ手段が出力信号として出力する遅延信号を、予め定めた利得で調整する第１のゲイン調整手段と、
前記ＢＧＰを入力し、当該ＢＧＰの期間にのみ前記第１のゲイン調整手段が出力する信号を、前記第１の加算手段に出力する前記論理積手段と、
最終段の前記第１のラッチ手段が出力信号として出力する遅延信号を、前記ＳＣＬＫのタイミングに従って順に遅延する（２×ｎ）個の第２のラッチ手段と、
最終段の前記第２のラッチ手段が出力する遅延信号を、予め定めた利得で調整する第２のゲイン調整手段と、
最終段の前記第１のラッチ手段が出力信号として出力する遅延信号を、予め定めた利得で調整する第３のゲイン調整手段と、
前記第２のゲイン調整手段が出力する信号と前記第３のゲイン調整手段が出力する信号とを加算して、出力信号として出力する第２の加算手段とをそれぞれ備える、請求項１または２に記載の色復調装置。
【発明の詳細な説明】
【０００１】
【発明の属する技術分野】
本発明は、色復調装置に関し、より特定的には、テレビジョン映像信号のコンポジット信号から分離した色副搬送波信号を、デジタル処理により色復調する装置に関する。
【０００２】
【従来の技術】
近年の映像の高画質化に伴い、テレビジョン映像信号のデジタル処理化が要求されている。これに対し、色信号の復調に関しては、例えば、特開平８−１４０１１４号公報（以下、従来の文献という）に記載されている色復調装置が、従来から提案されている。
以下、上記従来の文献に記載されている従来の色復調装置を説明する。
【０００３】
図１１は、上記従来の文献に記載されている従来の色復調装置の構成を示すブロック図である。
図１１において、従来の色復調装置は、ＢＰＦ回路１０１と、かけ算回路１０２〜１０４と、第１のＬＰＦ回路１０５，１０６と、累積加算回路１０７，１０８と、第２のＬＰＦ回路１０９，１１０と、ＶＣＯ回路１１１と、ＳＩＮデータ生成回路１１２と、比較回路１１３とを備える。
【０００４】
ＢＰＦ回路１０１は、色副搬送波信号の帯域をカバーするバンド・パス・フィルタ回路であり、デジタル映像のコンポジット信号から分離された色副搬送波信号を入力して不必要な帯域の信号を除去する。かけ算回路１０２は、後述する比較回路１１３から与えられる利得制御に従って、入力する色副搬送波信号に対し、出力が一定の振幅を保つように制御する。この制御を、一般にオート・カラー・コントロール（以下、ＡＣＣと記す）という。かけ算回路１０３は、かけ算回路１０２が出力するＡＣＣ処理後の色副搬送波信号を入力し、後述するＳＩＮデータ生成回路１１２が出力する９０度位相を持つＳＩＮ波信号とのかけ算をすることで、Ｒ−Ｙ復調を行う。かけ算回路１０４は、かけ算回路１０２が出力するＡＣＣ処理後の色副搬送波信号を入力し、後述するＳＩＮデータ生成回路１１２が出力する１８０度位相を持つＳＩＮ波信号とのかけ算をすることで、Ｂ−Ｙ復調を行う。第１のＬＰＦ回路１０５は、Ｒ−Ｙ信号の帯域を通過させるロー・パス・フィルタ回路であり、かけ算回路１０３が復調した信号の予め定めた高帯域成分（ノイズ等）を除去してＲ−Ｙ信号を出力する。第１のＬＰＦ回路１０６は、Ｂ−Ｙ信号の帯域を通過させるロー・パス・フィルタ回路であり、かけ算回路１０３が復調した信号の予め定めた高帯域成分（ノイズ等）を除去してＢ−Ｙ信号を出力する。
【０００５】
一方、第１のＬＰＦ回路１０５が出力するＲ−Ｙ信号は、累積加算回路１０７に入力される。累積加算回路１０７は、水平偏向装置（図示せず）から与えられるバースト・ゲート・パルス（以下、ＢＧＰと記す）に基づいて、１水平期間のうちバースト信号期間におけるＲ−Ｙ信号の情報、すなわち、バースト信号の情報を累積加算する。この累積加算されたバースト信号の情報は、第２のＬＰＦ回路１０９を介してＶＣＯ回路１１１に出力される。ＶＣＯ回路１１１は、入力信号の大きさに従って出力信号であるランプ波形の周期を可変できる電圧制御発振回路であり、入力されるバースト信号の情報に従って、出力するランプ波形の周期がバースト信号の周期と同期するように制御する。ＳＩＮデータ生成回路１１２は、ＶＣＯ回路１１１が出力するランプ波形を用いて、ランプ波形の周期に対して９０度および１８０度位相を持つＳＩＮ直交信号をそれぞれ生成し、９０度位相のＳＩＮ信号をかけ算回路１０３へ、１８０度位相のＳＩＮ信号をかけ算回路１０４へ出力する。
上述したフィードバック・ループ（以下、第１のフィードバック・ループという）を形成することで、従来の色復調装置は、常にバースト信号に同期した正確なＲ−Ｙ復調，Ｂ−Ｙ復調を行うことができる。
【０００６】
また、第１のＬＰＦ回路１０６が出力するＢ−Ｙ信号は、累積加算回路１０８に入力される。累積加算回路１０８は、上記と同様に、水平偏向装置から与えられるＢＧＰに基づいて、バースト信号の情報を累積加算する。この累積加算されたバースト信号の情報は、第２のＬＰＦ回路１１０を介して比較回路１１３に出力される。比較回路１１３は、予め定めた基準値を有しており、第２のＬＰＦ回路１１０から入力されるバースト信号の値と当該基準値とを比較する。そして、比較回路１１３は、バースト信号の値が基準値と一致するように、かけ算回路１０２の利得を制御する。
上述したフィードバック・ループ（以下、第２のフィードバック・ループという）を形成することで、従来の色復調装置は、常に一定の色信号振幅を得ることができる。
【０００７】
【発明が解決しようとする課題】
しかしながら、上記従来の色復調装置においては、Ｒ−Ｙ復調を行う回路（かけ算回路１０３，第１のＬＰＦ回路１０５）と、Ｂ−Ｙ復調を行う回路（かけ算回路１０４，第１のＬＰＦ回路１０６）とが、別個独立に構成されている。また、第１のフィードバック・ループを構成する回路の一部（累積加算回路１０７，第２のＬＰＦ回路１０９）と、第２のフィードバック・ループを構成する回路の一部（累積加算回路１０８，第２のＬＰＦ回路１１０）とが、別個独立に設けられている。
このため、上記従来の色復調装置では、一部または全てが同様の処理を行うかけ算回路、累積加算回路およびＬＰＦ回路を複数有することとなり、装置の規模が大きくなってしまうという問題点を残している。
【０００８】
それ故、本発明の目的は、従来と同等の色復調に関する性能を有しつつ、処理回路の一部を共用化することにより装置規模の縮小を図った色復調装置を提供することである。
【０００９】
【課題を解決するための手段および発明の効果】
第１の発明は、テレビジョン映像信号のコンポジット信号から分離した色副搬送波信号を、デジタル処理により色復調する色復調装置であって、
装置全体の動作基準であるシステム・クロック（以下、ＳＣＬＫと記す）を用いて、予め定めたロード・クロック（以下、ＲＣＬＫと記す）を生成する分周手段と、
色副搬送波信号を入力し、当該色副搬送波信号から不必要な帯域の信号を除去するバンド・パス・フィルタ手段と、
バンド・パス・フィルタ手段が出力する色副搬送波信号を入力し、比較手段から与えられる利得制御に従って、出力する当該色副搬送波信号が一定の振幅を保つように制御を行う第１のかけ算手段と、
第１のかけ算手段が出力する振幅制御後の色副搬送波信号と、ＳＩＮデータ生成手段が出力する位相交番ＳＩＮ波信号とを入力し、双方の信号をかけ算処理することでＲ−Ｙ信号およびＢ−Ｙ信号の多重化復調を行う第２のかけ算手段と、第２のかけ算手段が多重化復調した信号を入力し、Ｒ−Ｙ信号およびＢ−Ｙ信号の帯域を通過させて予め定めた高帯域成分を除去する第１のロー・パス・フィルタ手段と、
第１のロー・パス・フィルタ手段が出力する高帯域成分を除去した後の多重化復調した信号を入力し、ＲＣＬＫに従って、当該多重化復調した信号をＲ−Ｙ信号とＢ−Ｙ信号とに分離してそれぞれ出力する第１のロード・ホールド手段と、第１のロー・パス・フィルタ手段が出力する高帯域成分を除去した後の多重化復調した信号を入力し、バースト信号期間を与えるバースト・ゲート・パルス（以下、ＢＧＰと記す）に基づいて、Ｒ−Ｙ信号およびＢ−Ｙ信号におけるバースト信号の情報をそれぞれ累積加算し、この累積加算した各バースト信号情報を１水平期間に１回だけ出力する累積加算手段と、
累積加算手段が出力する各バースト信号情報を入力し、Ｒ−Ｙ信号およびＢ−Ｙ信号の帯域を通過させて予め定めた高帯域成分を除去する第２のロー・パス・フィルタ手段と、
第２のロー・パス・フィルタ手段が出力する高帯域成分を除去した後の各バースト信号情報を入力し、ＲＣＬＫに従って、当該バースト信号情報をＲ−Ｙ信号におけるバースト信号情報とＢ−Ｙ信号におけるバースト信号情報とに分離してそれぞれ出力する第２のロード・ホールド手段と、
第２のロード・ホールド手段が出力するＲ−Ｙ信号におけるバースト信号情報を入力し、当該バースト信号情報のレベルに従って、ランプ波形の周期を可変して出力するＶＣＯ手段と、
ＶＣＯ手段が出力するランプ波形において、Ｒ−Ｙ復調軸に対応するデータとＢ−Ｙ復調軸に対応するデータとを入力し、ＲＣＬＫに従って、当該２つのデータを交互に切り換えて出力するスイッチ手段と、
ＶＣＯ手段が出力するランプ波形に、スイッチ手段が出力するデータを加算して出力する加算手段と、
加算手段が出力するランプ波形を用いて、当該ランプ波形に同期した位相交番ＳＩＮ波信号を生成して出力するＳＩＮデータ生成手段と、
第２のロード・ホールド手段が出力するＢ−Ｙ信号におけるバースト信号情報を入力し、当該バースト信号情報の値と予め定めた基準値とを比較し、当該バースト信号情報の値が当該基準値と一致するように、第１のかけ算手段の利得を制御する比較手段とを備える。
【００１０】
上記のように、第１の発明によれば、多重化復調という手法を用い、Ｒ−Ｙ復調を行う部分とＢ−Ｙ復調を行う部分、および第１のかけ算手段から出力する色副搬送波信号の振幅を常に一定にするための第１のフィードバック・ループを構成する部分の一部と、第２のかけ算手段において常にバースト信号に同期した正確なＲ−Ｙ復調，Ｂ−Ｙ復調を行うための第２のフィードバック・ループを構成する部分の一部を、共用した手段構成で実現している。これにより、色復調装置の規模の縮小を図ることができる。
【００１１】
第２の発明は、テレビジョン映像信号のコンポジット信号から分離した色副搬送波信号を、デジタル処理により色復調する色復調装置であって、
装置全体の動作基準であるシステム・クロック（以下、ＳＣＬＫと記す）を用いて、予め定めたロード・クロック（以下、ＲＣＬＫと記す）を生成する分周手段と、
色副搬送波信号を入力し、当該色副搬送波信号から不必要な帯域の信号を除去するバンド・パス・フィルタ手段と、
バンド・パス・フィルタ手段が出力する色副搬送波信号を入力し、比較手段から与えられる利得制御に従って、出力する当該色副搬送波信号が一定の振幅を保つように制御を行う第１のかけ算手段と、
第１のかけ算手段が出力する振幅制御後の色副搬送波信号と、ＳＩＮデータ生成手段が出力する位相交番ＳＩＮ波信号とを入力し、双方の信号をかけ算処理することでＲ−Ｙ信号およびＢ−Ｙ信号の多重化復調を行う第２のかけ算手段と、第２のかけ算手段が多重化復調した信号を入力し、Ｒ−Ｙ信号およびＢ−Ｙ信号の帯域を通過させて予め定めた高帯域成分を除去する第１のロー・パス・フィルタ手段と、
第１のロー・パス・フィルタ手段が出力する高帯域成分を除去した後の多重化復調した信号を入力し、ＲＣＬＫに従って、当該多重化復調した信号をＲ−Ｙ信号とＢ−Ｙ信号とに分離してそれぞれ出力する第１のロード・ホールド手段と、第１のロー・パス・フィルタ手段が出力する高帯域成分を除去した後の多重化復調した信号を入力し、バースト信号期間を与えるバースト・ゲート・パルス（以下、ＢＧＰと記す）に基づいて、Ｒ−Ｙ信号およびＢ−Ｙ信号におけるバースト信号の情報をそれぞれ累積加算し、この累積加算した各バースト信号情報を１水平期間に１回だけ出力する累積加算手段と、
累積加算手段が出力する高帯域成分を除去した後の各バースト信号情報を入力し、ＲＣＬＫに従って、当該バースト信号情報をＲ−Ｙ信号におけるバースト信号情報とＢ−Ｙ信号におけるバースト信号情報とに分離してそれぞれ出力する第２のロード・ホールド手段と、
累積加算手段が出力するＲ−Ｙ信号におけるバースト信号情報を入力し、Ｒ−Ｙ信号の帯域を通過させて予め定めた高帯域成分を除去する第２のロー・パス・フィルタ手段と、
累積加算手段が出力するＢ−Ｙ信号におけるバースト信号情報を入力し、Ｂ−Ｙ信号の帯域を通過させて予め定めた高帯域成分を除去する第３のロー・パス・フィルタ手段と、
第２のロー・パス・フィルタ手段が出力する高帯域成分を除去した後のＲ−Ｙ信号におけるバースト信号情報を入力し、当該バースト信号情報のレベルに従って、ランプ波形の周期を可変して出力するＶＣＯ手段と、
ＶＣＯ手段が出力するランプ波形において、Ｒ−Ｙ復調軸に対応するデータとＢ−Ｙ復調軸に対応するデータとを入力し、ＲＣＬＫに従って、当該２つのデータを交互に切り換えて出力するスイッチ手段と、
ＶＣＯ手段が出力するランプ波形に、スイッチ手段が出力するデータを加算して出力する加算手段と、
加算手段が出力するランプ波形を用いて、当該ランプ波形に同期した位相交番ＳＩＮ波信号を生成して出力するＳＩＮデータ生成手段と、
第３のロー・パス・フィルタ手段が出力する高帯域成分を除去した後のＢ−Ｙ信号におけるバースト信号情報を入力し、当該バースト信号情報の値と予め定めた基準値とを比較し、当該バースト信号情報の値が当該基準値と一致するように、第１のかけ算手段の利得を制御する比較手段とを備える。
【００１２】
上記のように、第２の発明によれば、多重化復調という手法を用い、Ｒ−Ｙ復調を行う部分とＢ−Ｙ復調を行う部分、および第１のかけ算手段から出力する色副搬送波信号の振幅を常に一定にするための第１のフィードバック・ループを構成する部分の一部と、第２のかけ算手段において常にバースト信号に同期した正確なＲ−Ｙ復調，Ｂ−Ｙ復調を行うための第２のフィードバック・ループを構成する部分の一部を、共用した手段構成で実現している。これにより、色復調装置の規模の縮小を図ることができる。
さらに、第２の発明によれば、ＶＣＯ手段へ出力するバースト信号を帯域制限する第２のロー・パス・フィルタ手段と、比較手段へ出力するバースト信号を帯域制限する第３のロー・パス・フィルタ手段とを、２つ個別に備える。これにより、第１のフィードバック・ループにおける周波数特性と、第２のフィードバック・ループにおける周波数特性とを、異ならせることが可能となり、より高画質の色復調を実現することができる。
【００１３】
第３の発明は、第１および第２の発明に従属する発明であって、
累積加算手段は、
入力する信号と論理積手段が出力する信号とを、加算して出力する加算手段と、
加算手段が出力する信号を、ＳＣＬＫのタイミングに従って順に遅延する（２×ｎ）個（ｎは、正の整数）のラッチ手段と、
最終段のラッチ手段が出力信号として出力する遅延信号を、予め定めた利得で調整するゲイン調整手段と、
ＢＧＰを入力し、当該ＢＧＰの期間にのみゲイン調整手段が出力する信号を、加算手段に出力する論理積手段とを備える。
【００１４】
第４の発明は、第１〜第３の発明に従属する発明であって、
第１〜第３のロー・パス・フィルタ手段は、
入力する信号を、ＳＣＬＫのタイミングに従って順に遅延する（２×ｎ）個（ｎは、正の整数）のラッチ手段と、
最終段のラッチ手段が出力する遅延信号を、予め定めた利得で調整する第１のゲイン調整手段と、
入力する信号を、予め定めた利得で調整する第２のゲイン調整手段と、
第１のゲイン調整手段が出力する信号と第２のゲイン調整手段が出力する信号とを加算して、出力信号として出力する加算手段とをそれぞれ備える。
【００１５】
第５の発明は、第１および第２の発明に従属する発明であって、
第１〜第３のロー・パス・フィルタ手段および累積加算手段は、
入力する信号と論理積手段が出力する信号とを、加算して出力する第１の加算手段と、
第１の加算手段が出力する信号を、ＳＣＬＫのタイミングに従って順に遅延する（２×ｎ）個（ｎは、正の整数）の第１のラッチ手段と、
最終段の第１のラッチ手段が出力信号として出力する遅延信号を、予め定めた利得で調整する第１のゲイン調整手段と、
ＢＧＰを入力し、当該ＢＧＰの期間にのみ第１のゲイン調整手段が出力する信号を、第１の加算手段に出力する論理積手段と、
最終段の第１のラッチ手段が出力信号として出力する遅延信号を、ＳＣＬＫのタイミングに従って順に遅延する（２×ｎ）個の第２のラッチ手段と、
最終段の第２のラッチ手段が出力する遅延信号を、予め定めた利得で調整する第２のゲイン調整手段と、
最終段の第１のラッチ手段が出力信号として出力する遅延信号を、予め定めた利得で調整する第３のゲイン調整手段と、
第２のゲイン調整手段が出力する信号と第３のゲイン調整手段が出力する信号とを加算して、出力信号として出力する第２の加算手段とをそれぞれ備える。
【００１６】
上記のように、第３〜第５の発明は、それぞれ、第１および第２の発明における第１〜第３のロー・パス・フィルタ手段および累積加算手段のさらに詳細な構成を示したものである。このように、第３〜第５の発明によれば、遅延に用いるラッチ手段を偶数個単位で用いることにより、多重化させたＲ−Ｙ信号およびＢ−Ｙ信号を壊すことなく（すなわち、Ｒ−Ｙ信号およびＢ−Ｙ信号をそれぞれ別個に）フィルタリングおよび累積加算することができる。
【００１７】
【発明の実施の形態】
以下、本発明の実施の形態について、図面を参照しながら説明する。
（第１の実施形態）
図１は、本発明の第１の実施形態に係る色復調装置の構成を示すブロック図である。図１において、本発明の第１の実施形態に係る色復調装置は、ＢＰＦ回路１と、かけ算回路２〜３と、第１のＬＰＦ回路４と、第１のロード・ホールド回路５と、累積加算回路６と、第２のＬＰＦ回路７と、第２のロード・ホールド回路８と、ＶＣＯ回路９と、加算回路１０と、ＳＷ回路１１と、ＳＩＮデータ生成回路１２と、比較回路１３と、分周回路１４とを備える。
【００１８】
まず、ＢＰＦ回路１、かけ算回路２〜３、第１のＬＰＦ回路４および第１のロード・ホールド回路５の動作を順に説明して、基本的な色復調処理の流れを説明する。
ＢＰＦ回路１は、色副搬送波信号の帯域をカバーするバンド・パス・フィルタ回路であり、デジタル映像のコンポジット信号から分離された色副搬送波信号を入力して不必要な帯域の信号を除去する。かけ算回路２は、後述する比較回路１３から与えられる利得制御に従って、入力する色副搬送波信号に対し、出力が一定の振幅を保つように制御（ＡＣＣ）を行う。かけ算回路３は、かけ算回路２が出力するＡＣＣ処理後の色副搬送波信号を入力し、後述するＳＩＮデータ生成回路１２が出力する位相交番ＳＩＮ波信号とのかけ算をすることで、Ｒ−Ｙ信号およびＢ−Ｙ信号の双方に関して多重化復調を行う。第１のＬＰＦ回路４は、Ｒ−Ｙ信号およびＢ−Ｙ信号の帯域を通過させるロー・パス・フィルタ回路であり、かけ算回路３が多重化復調した信号から予め定めた高帯域成分（ノイズ等）を除去して第１のロード・ホールド回路５および累積加算回路６へ出力する。第１のロード・ホールド回路５は、後述する分周回路１４が出力するロード・クロック（以下、ＲＣＬＫと記す）に従って、入力する多重化復調した信号をＲ−Ｙ信号とＢ−Ｙ信号とに分離してそれぞれ出力する。
【００１９】
次に、図２〜図８を用いて、累積加算回路６、第２のＬＰＦ回路７、第２のロード・ホールド回路８、ＶＣＯ回路９、加算回路１０、ＳＷ回路１１、ＳＩＮデータ生成回路１２および分周回路１４の動作を順に説明すると共に、常にバースト信号に同期した正確なＲ−Ｙ復調，Ｂ−Ｙ復調を行う第１のフィードバック・ループの動作を説明する。
図２は、ＶＣＯ回路９が出力するランプ波形の一例を説明する図である。図３は、ＳＷ回路１１で行う処理を説明するタイミング図である。図４は、加算回路１０、ＳＩＮデータ生成回路１２およびかけ算回路３における出力波形を示す図である。図５は、第１のＬＰＦ回路４および第２のＬＰＦ回路７の詳細な構成の一例を示すブロック図である。図６は、累積加算回路６の詳細な構成の一例を示すブロック図である。図７は、第１のロード・ホールド回路５および第２のロード・ホールド回路８の詳細な構成の一例を示すブロック図である。図８は、第１のロード・ホールド回路５で行う処理を説明するタイミング図である。
【００２０】
ＶＣＯ回路９は、図２（ａ）に示すランプ波形を出力する電圧制御発振回路である。ＶＣＯ回路９は、このランプ波形の周期Ｔを入力信号のレベルに従って可変することができ、入力信号のレベルが大きければランプ波形の周期Ｔが短くなるように制御し、入力信号のレベルが小さければランプ波形の周期Ｔが長くなるとうに制御する。ここで、ＶＣＯ回路９が出力するランプ波形のデータは、周期Ｔ（ベクトル位相でいう０度〜３６０度）が１６進数（ＨＥＸ）信号においてデータ「０００ｈ」〜データ「１ＦＦｈ」に対応させてある（図２（ａ））。従って、データ「０８０ｈ」がベクトル位相の９０度に該当し、データ「１００ｈ」がベクトル位相の１８０度に該当することとなる（図２（ｂ））。
【００２１】
ＳＷ回路１１は、外部から与えられる制御信号に従って、２つの入力信号から１つの出力信号を選択的に切り換えて出力するスイッチ回路である。このＳＷ回路１１の２つの入力信号は、上述したデータ「０８０ｈ」（図３（ｃ））とデータ「１００ｈ」（図３（ｄ））の２つであり、制御信号は、分周回路１４が出力するＲＣＬＫ（図３（ｂ））である。
ここで、分周回路１４は、図３（ａ）に示す装置全体の動作基準であるシステム・クロック（以下、ＳＣＬＫと記す）を用いて、図３（ｂ）に示すＲＣＬＫを生成する。よって、ＳＷ回路１１の出力信号は、ＳＣＬＫに対して、１クロック毎にデータ「０８０ｈ」とデータ「１００ｈ」とが交互に切り替わったデータとなる（図３（ｅ））。
【００２２】
加算回路１０は、ＶＣＯ回路９が出力するランプ波形（図２（ａ））にＳＷ回路１１が出力するデータ（図３（ｅ））を加算する。従って、加算回路１０が出力するランプ波形は、データ「０８０ｈ」が加算された期間においてベクトル位相で９０度位相シフトした波形となり、データ「１００ｈ」が加算された期間においてベクトル位相で１８０度位相シフトした波形となる（図４（ａ））。
【００２３】
ＳＩＮデータ生成回路１２は、入力するランプ波形を用いて、当該ランプ波形に同期したＳＩＮ波信号を生成して出力する。従って、ＳＩＮデータ生成回路１２は、加算回路１０が出力するランプ波形（図４（ａ））に対応して、データ「０８０ｈ」が加算された期間には９０度位相のＳＩＮ波信号を、データ「１００ｈ」が加算された期間には１８０度位相のＳＩＮ波信号を時分割で生成することとなる。そして、ＳＩＮデータ生成回路１２は、この９０度位相と１８０度位相とをＳＣＬＫの１クロック毎に交互に繰り返す位相交番ＳＩＮ波信号（図４（ｂ））を、かけ算回路３へ出力する。
【００２４】
従って、かけ算回路３において、ＳＩＮデータ生成回路１２が出力する位相交番ＳＩＮ波信号（図４（ｂ））とかけ算回路２が出力する色副搬送波信号とをかけ算処理することにより、ベクトル位相で言うところの９０度（Ｒ−Ｙ），１８０度（Ｂ−Ｙ）の２軸で復調された信号が、ＳＣＬＫの１クロック毎に交互に出力されることとなる（図４（ｃ））。なお、かけ算回路３が出力する図４（ｃ）のような信号を、Ｒ−Ｙ／Ｂ−Ｙ多重化信号という。このＲ−Ｙ／Ｂ−Ｙ多重化信号は、第１のＬＰＦ回路４へ入力される。
【００２５】
そして、第１のＬＰＦ回路４は、上述のように、かけ算回路３が出力するＲ−Ｙ／Ｂ−Ｙ多重化信号（図４（ｃ））から予め定めた高帯域成分（ノイズ等）を除去して第１のロード・ホールド回路５および累積加算回路６へ出力する。
この第１のＬＰＦ回路４の詳細な構成の一例を図５に示す。図５において、第１のＬＰＦ回路４は、ＳＣＬＫのタイミングで動作する（２×ｎ）個のラッチ回路４１（ｎは、正の整数）と、利得を調整するゲイン調整回路４２，４３と、入力を加算する加算回路４４とを備える。図５に示すように、第１のＬＰＦ回路４は、ラッチ回路を偶数個用いて入力信号を遅延させた信号と入力信号とを、予め定めた利得（Ｋ１，Ｋ２）でそれぞれ調整した後、双方を加算して出力している。こうすることで、第１のＬＰＦ回路４は、多重化させたＲ−Ｙ信号およびＢ−Ｙ信号を壊すことなく（すなわち、Ｒ−Ｙ信号およびＢ−Ｙ信号をそれぞれ別個に）フィルタリングすることができる。
【００２６】
累積加算回路６は、入力するＲ−Ｙ／Ｂ−Ｙ多重化信号（図４（ｃ））から、水平偏向装置（図示せず）から与えられるＢＧＰに基づいて、バースト信号の情報を累積加算する。そして、累積加算回路６は、この累積加算したバースト信号を、１水平期間に１回だけ第２のＬＰＦ回路７へ出力する。
この累積加算回路６の詳細な構成の一例を図６に示す。図６において、累積加算回路６は、入力を加算する加算回路６４と、ＳＣＬＫのタイミングで動作する（２×ｎ）個のラッチ回路６１と、利得を調整するゲイン調整回路６２と、ＢＧＰのタイミングで動作させるＡＮＤ回路６５とを備える。図６に示すように、累積加算回路６は、ラッチ回路を偶数個用いて入力信号を遅延させた信号を、利得調整後にバースト期間のみフィードバックさせて入力信号に加算している。こうすることで、累積加算回路６は、多重化させたＲ−Ｙ信号およびＢ−Ｙ信号を壊すことなく累積加算処理することができる。
【００２７】
第２のＬＰＦ回路７は、カットオフ周波数が数Ｈｚ（好ましくは、２〜３Ｈｚ）に予め設定してあるロー・パス・フィルタ回路であり、例えば、ラグリード型で構成される。第２のＬＰＦ回路７において高帯域成分がカットされた信号は、第２のロード・ホールド回路８に出力される。
この第２のＬＰＦ回路７の構成は、上記第１のＬＰＦ回路４で示した構成と同様であり（図５を参照）、ラッチ回路を偶数個用いて入力信号を遅延させた信号と入力信号とを、予め定めた利得でそれぞれ調整した後、双方を加算して出力している。こうすることで、第２のＬＰＦ回路７は、多重化させたＲ−Ｙ信号およびＢ−Ｙ信号を壊すことなくフィルタリングすることができる。
【００２８】
第２のロード・ホールド回路８は、分周回路１４が出力するＲＣＬＫに従って、累積加算回路６が出力する累積加算したバースト信号を、Ｒ−Ｙ信号におけるバースト信号とＢ−Ｙ信号におけるバースト信号とに分離してそれぞれ出力する。ここで、Ｒ−Ｙ信号におけるバースト信号は、ＶＣＯ回路９へ出力され、第１のフィードバック・ループが形成される。
この第２のロード・ホールド回路８の詳細な構成の一例を図７に示す。図７において、第２のロード・ホールド回路８は、ＲＣＬＫに従ってスイッチを切り換える２個のＳＷ回路８１と、ＳＣＬＫのタイミングで動作する２個のラッチ回路８２と、ＮＯＴ回路８３とを備える。図７に示すように、第２のロード・ホールド回路８は、ＳＷ回路８１とラッチ回路８２とを２系統備え、各系統をＲＣＬＫに従って交互に切り換え動作させることで、入力信号をＲ−Ｙ信号におけるバースト信号とＢ−Ｙ信号におけるバースト信号とに分離している。
【００２９】
そして、ＶＣＯ回路９は、第２のロード・ホールド回路８が出力するＲ−Ｙ信号におけるバースト信号を入力し、当該バースト信号に従って、出力するランプ波形（図２（ａ））の周期Ｔがバースト信号の周期と同期するように制御する。
これにより、本発明の第１の実施形態に係る色復調装置は、常にバースト信号に同期した正確なＲ−Ｙ復調，Ｂ−Ｙ復調を行うことができる。
【００３０】
次に、比較回路１３の動作を説明すると共に、常に一定の色信号振幅を得ることができる第２のフィードバック・ループの動作を説明する。
第２のロード・ホールド回路８において分離されたＢ−Ｙ信号におけるバースト信号は、比較回路１３へ出力される。比較回路１３は、予め定めた基準値（この基準値は、予め回路内部に保持していてもよいし、外部から与えてやってもよい）を有しており、入力するＢ−Ｙ信号におけるバースト信号の値と当該基準値とを比較する。そして、比較回路１３は、バースト信号の値が基準値と一致するように、かけ算回路２の利得を制御する。
これにより、本発明の第１の実施形態に係る色復調装置は、常に一定の色信号振幅を得ることができる。
【００３１】
最後に、第１のロード・ホールド回路５は、上述したように、第１のＬＰＦ回路４が高帯域成分を除去して出力するＲ−Ｙ／Ｂ−Ｙ多重化信号（図８（ｂ））を入力する。そして、第１のロード・ホールド回路５は、分周回路１４が出力するＲＣＬＫ（図８（ａ））に従って、Ｒ−Ｙ／Ｂ−Ｙ多重化信号をＲ−Ｙ信号（図８（ｃ））とＢ−Ｙ信号（図８（ｄ））とに分離してそれぞれ出力する。
この第１のロード・ホールド回路５の構成は、上記第２のロード・ホールド回路８で示した構成と同様であり（図７を参照）、ＳＷ回路８１とラッチ回路８２とを２系統備え、各系統をＲＣＬＫに従って交互に動作させることで、入力信号をＲ−Ｙ信号とＢ−Ｙ信号とに分離している。
【００３２】
以上のように、本発明の第１の実施形態に係る色復調装置によれば、多重化復調という手法を用い、Ｒ−Ｙ復調を行う回路とＢ−Ｙ復調を行う回路、および第１のフィードバック・ループを構成する回路の一部と第２のフィードバック・ループを構成する回路の一部を、共用した回路構成で実現している。
これにより、色復調装置の規模の縮小を図ることができる。具体的には、第１の実施形態に係る色復調装置を半導体で形成した場合のゲート数（約６１００個）は、従来の色復調装置（図１１を参照）のゲート数（約８１００個）に比べ、約２５％も削減することができる。従って、低消費電力化やコストの縮小を実現することができる。
【００３３】
なお、上記第１の実施形態に係る色復調装置においては、ＶＣＯ回路９が出力するランプ波形（図２（ａ））のデータを、周期ＴがＨＥＸ信号においてデータ「０００ｈ」〜データ「１ＦＦｈ」に対応させてある場合を述べたが、これ以外のデータ範囲で対応させても構わない。ただし、この場合、対応させたデータ範囲におけるベクトル位相が９０度に該当する新たなデータと、ベクトル位相が１８０度に該当する新たなデータとを用いて、Ｒ−Ｙ復調およびＢ−Ｙ復調を行うことは言うまでもない。
また、上記第１の実施形態に係る色復調装置においては、Ｒ−Ｙ復調軸が９０度位相でありＢ−Ｙ復調軸が１８０度位相であることを前提として述べた（図２（ｂ）を参照）。しかし、本発明は、これらの位相以外にも任意に色復調軸の位相を設定することが可能であり、この場合には、色復調軸を決定するＳＷ回路１１の入力データを所望のＨＥＸ信号データに設定すればよい。
【００３４】
さらに、上記第１の実施形態に係る色復調装置においては、第１のＬＰＦ回路４および第２のＬＰＦ回路７の構成として図５に一例を示し、累積加算回路６の構成として図６に一例を示したが、これらの各回路は、図９に示すように、これら図５および図６を組み合わせた構成とすることも可能である。なお、第１のＬＰＦ回路４については、バースト信号の期間で動作させる必要がないため、構成からＡＮＤ回路が削除された形となる。
【００３５】
（第２の実施形態）
図１０は、本発明の第２の実施形態に係る色復調装置の構成を示すブロック図である。図１０において、本発明の第２の実施形態に係る色復調装置は、ＢＰＦ回路１と、かけ算回路２〜３と、第１のＬＰＦ回路４と、第１のロード・ホールド回路５と、累積加算回路６と、第２のロード・ホールド回路８と、第２のＬＰＦ回路７と、第３のＬＰＦ回路１５と、ＶＣＯ回路９と、加算回路１０と、ＳＷ回路１１と、ＳＩＮデータ生成回路１２と、比較回路１３と、分周回路１４とを備える。
【００３６】
図１０に示すように、第２の実施形態に係る色復調装置は、上記第１の実施形態に係る色復調装置において、第２のＬＰＦ回路７の処理と第２のロード・ホールド回路８の処理との順序を入れ替え、さらに、比較回路１３に出力するための第３のＬＰＦ回路１５を新たに備える構成である。
なお、第２の実施形態に係る色復調装置のその他の構成は、上記第１の実施形態に係る色復調装置の構成と同様であり、当該その他の構成については同一の参照番号を付してその説明を省略する。
【００３７】
累積加算回路６が出力する累積加算したバースト信号は、１水平期間に１回だけ第２のロード・ホールド回路８へ出力される。次に、第２のロード・ホールド回路８は、分周回路１４が出力するＲＣＬＫに従って、累積加算回路６が出力する累積加算したバースト信号を、Ｒ−Ｙ信号におけるバースト信号とＢ−Ｙ信号におけるバースト信号とに分離する。そして、第２のロード・ホールド回路８は、Ｒ−Ｙ信号におけるバースト信号を第２のＬＰＦ回路７へ、Ｂ−Ｙ信号におけるバースト信号を第３のＬＰＦ回路１５へ出力する。
【００３８】
第２のＬＰＦ回路７は、入力するＲ−Ｙ信号におけるバースト信号の予め定めた高帯域成分をカットし、ＶＣＯ回路９へ出力する。一方、第３のＬＰＦ回路１５は、カットオフ周波数が数Ｈｚ（好ましくは、２Ｈｚ以下）に予め設定してあるロー・パス・フィルタ回路である。第３のＬＰＦ回路１５は、入力するＢ−Ｙ信号におけるバースト信号の高帯域成分をカットし、比較回路１３へ出力する。
従って、ＶＣＯ回路９へ出力するＲ−Ｙ信号におけるバースト信号の周波数特性（ノイズ応答）と、比較回路１３へ出力するＢ−Ｙ信号におけるバースト信号の周波数特性（ノイズ応答）とを、異ならせることが可能となる。
【００３９】
以上のように、本発明の第２の実施形態に係る色復調装置によれば、ＶＣＯ回路９へ出力するバースト信号を帯域制限するＬＰＦ回路と、比較回路１３へ出力するバースト信号を帯域制限するＬＰＦ回路とを、２つ個別に備える。
これにより、上記第１の実施形態に係る色復調装置に比べると回路規模は、多少拡大はするが（半導体で形成した場合のゲート数は、約６５００個となる）、第１のフィードバック・ループにおける周波数特性と、第２のフィードバック・ループにおける周波数特性とを、異ならせることが可能となり、より高画質の色復調を実現することができる。
【図面の簡単な説明】
【図１】本発明の第１の実施形態に係る色復調装置の構成を示すブロック図である。
【図２】ＶＣＯ回路９が出力するランプ波形の一例を説明する図である。
【図３】ＳＷ回路１１で行う処理を説明するタイミング図である。
【図４】加算回路１０、ＳＩＮデータ生成回路１２およびかけ算回路３における出力波形を示す図である。
【図５】第１のＬＰＦ回路４および第２のＬＰＦ回路７の詳細な構成の一例を示すブロック図である。
【図６】累積加算回路６の詳細な構成の一例を示すブロック図である。
【図７】第１のロード・ホールド回路５および第２のロード・ホールド回路８の詳細な構成の一例を示すブロック図である。
【図８】第１のロード・ホールド回路５で行う処理を説明するタイミング図である。
【図９】第１のＬＰＦ回路４、第２のＬＰＦ回路７および累積加算回路６の詳細な構成の他の一例を示すブロック図である。
【図１０】本発明の第２の実施形態に係る色復調装置の構成を示すブロック図である。
【図１１】従来の色復調装置の構成を示すブロック図である。
【符号の説明】
１，１０１…ＢＰＦ回路
２，３，１０２〜１０４…かけ算回路
４，７，１５，１０５，１０６，１０９，１１０…ＬＰＦ回路
５，８…ロード・ホールド回路
６，１０７，１０８…累積加算回路
９，１１１…ＶＣＯ回路
１０，４４，６４…加算回路
１１，８１…ＳＷ回路
１２，１１２…ＳＩＮデータ生成回路
１３，１１３…比較回路
１４…分周回路
４１，６１，８２…ラッチ回路
４２，４３，６２…ゲイン調整回路
６３…ＡＮＤ回路
８３…ＮＯＴ回路
【図１】
0004112734.tif 000002
【図２】
0004112734.tif 000003
【図３】
0004112734.tif 000004
【図４】
0004112734.tif 000005
【図５】
0004112734.tif 000006
【図６】
0004112734.tif 000007
【図７】
0004112734.tif 000008
【図８】
0004112734.tif 000009
【図９】
0004112734.tif 000010
【図１０】
0004112734.tif 000011
【図１１】
0004112734.tif 000012